(57)【要約】  【課題】  本発明は、加湿を効率良く行なうことができ、また構造が簡単で取扱い易く、火傷などのおそれがなく安心して使用することができる加湿装置を提供する。  【解決手段】  貯水槽５の上部に、空気の導入口２１ａと吹出口２１ｂとを備えた上カバー２１を設け、この上カバー２１内の導入口２１ａから吹出口２１ｂへ至る流路上に加湿部４を配置して、この加湿部４に貯水槽５の水を汲み上げて供給する揚水手段６を設ける。そして加湿部４に、取入れた空気を流通させることができ、且つ少なくとも空気の流通路内面に水分を保持可能な担持体４２を設ける。【選択図面】  図１
2005274041.tif 000002
【特許請求の範囲】
【請求項１】
貯水槽の上部に、空気の導入口と吹出口とを備えた上カバーが設けられており、この上カバー内の前記導入口から前記吹出口へ至る流路上に加湿部が配置され、この加湿部に前記貯水槽の水を汲み上げて供給する揚水手段を備えた加湿装置において、
前記加湿部に、取入れた空気を流通させることができ、且つ少なくとも空気の流通路内面に水分を保持可能な担持体が設けられていることを特徴とする加湿装置。
【請求項２】
前記担持体の空気の流通路が、前記担持体を上下方向に貫通した多数の小孔であって、前記加湿部に供給された水を、前記流通路内を流下させるとともに、前記導入口から取入れた空気を前記流通路の下側から上向きに流通させていることを特徴とする請求項１記載の加湿装置。
【請求項３】
前記担持体の上方に、前記担持体の上面と略並行にして分散板を配置し、前記揚水手段により汲み上げた水を、前記分散板の下面中央部に当てその外縁部方向に分散させつつ、前記担持体に供給していることを特徴とする請求項１または２記載の加湿装置。
【請求項４】
前記分散板の外周部が、その外周端が斜め下方を向くように傾斜していることを特徴とする請求項３記載の加湿装置。
【請求項５】
前記上カバーの下端部に前記導入口が設けられるとともに、上面部に前記吹出口が設けられており、前記流路上にあって前記加湿部の下流側に送風機が配置され、前記揚水手段に、筒状の揚水管に雄ねじ型のロータまたは、下端部にインペラが接続された回転軸が内蔵されている揚水ポンプが用いられ、前記ロータまたは回転軸とが前記送風機のプロペラと連結されて、同一軸上で一体回転可能になっていることを特徴とする請求項１〜４のいずれかに記載の加湿装置。
【請求項６】
前記ロータまたは回転軸と前記送風機のプロペラとが、前記加湿部を上下に貫通した状態で設けられている連結軸で連結されており、この連結軸に前記分散板が一体回転可能に取り付けられていることを特徴とする請求項５に記載の加湿装置。
【請求項７】
前記貯水槽の上部に、前記上カバーとの間を仕切る受け板が設けられており、この受け板は、中央部から前記貯水槽の内側面に向かって傾斜が設けられるとともに、下端部に貫通孔が設けられていることを特徴とする請求項１〜６のいずれかに記載の加湿装置。
【請求項８】
前記担持体が、繊維状の構造を有することを特徴とする請求項１〜７のいずれかに記載の加湿装置。
【発明の詳細な説明】
【技術分野】
【０００１】
本発明は、空気を効率良く加湿することができ、簡単な構造で扱い易い加湿装置に関する。
【背景技術】
【０００２】
従来、加湿装置としてスチーム方式・超音波方式等が公知である。
【０００３】
１）スチーム方式の加湿装置は、内蔵されているタンクの水を、ヒーターで加熱している蒸発皿に供給して水蒸気を発生させ、この水蒸気を送風機等で外部に送り出し外気と接触させることにより空気に水分を与え加湿している。
【０００４】
スチーム方式の加湿装置では、水蒸気が吹出口から送り出される際に、その一部が吹出口の縁部等で冷却され水滴となって付着するため、装置の外面を濡らし拭取り掃除等が必要な場合がある。また吹出口に付着した水滴は空気の加湿に利用されないため効率が低下し、加湿状態の割には水の減りが早く、頻繁に給水しなければならないため手間がかかる。さらにスチーム方式のものは、吹出口からは高温の水蒸気が吹き出すため、火傷等のおそれがある。
【０００５】
２）超音波方式の加湿装置は、超音波発生部が設けられている霧化室に内蔵のタンクから水を供給し、この霧化室内の水を超音波によって振動させ、その共振現象により水を霧化させる。こうして水面付近に漂っている霧を、送風機等で外部へ送出し空気を加湿している。
【０００６】
超音波方式の加湿装置では、水にカルシウム等の不純物が混入していると、その結晶が超音波発生部の表面に付着して超音波発生部の機能を低下させてしまうことがあり、十分に加湿を行えない場合がある。また霧の一部が吹出口から送り出される際に、水滴となって吹出口の縁に付着し加湿に利用できなくなるため、効率が低下する場合がある。
【０００７】
これらのスチーム方式や超音波方式の他に、水を蒸散させて加湿する気化方式のものがある。気化方式の加湿装置は、不織布からなる加湿部が下端部を貯水槽に浸漬した状態で配置されており、不織布の毛管現象によって水を吸い上げ、吸い上げた水に空気を吹き付けることで水分を蒸散させて加湿するものである。
【０００８】
また、水を霧状にして空気と接触させ加湿しているものがある（以下、ミスト方式ともいう）。詳しくは、容器の底部に貯留されている水をスクリューポンプで汲み上げ、その水を高速回転している円形の水切り板に供給する。そして、水切り板によって水を半径方向に飛ばし霧発生器に衝突させて霧状の水滴にし、この霧状の水滴を送風機等で外部に送り出することで空気に水分を与え加湿している（特許文献１参照）。
【特許文献１】特開平７−２４３６７７号公報（第２〜３頁）
【発明の開示】
【発明が解決しようとする課題】
【０００９】
しかしながら上述の気化方式およびミスト方式の加湿装置では、それぞれ次のような問題点がある。
【００１０】
気化方式の加湿装置は、不織布の毛管現象を利用して水を吸い上げているため、空気を吹き付ける気化部の上部に、十分な量の水を供給できない場合があり、蒸散する水の量が不足し適切に加湿を行えない場合がある。
【００１１】
またミスト方式は、貯留している水を霧状にして外部に送り出しているため、吹出口の縁部などに水滴が付着することにより装置の外面が濡れ、拭取り掃除等の手間がかかる場合がある。さらに水切り回転盤の回転により、水を霧発生細隙に打ち当てて小さな水滴を作り、開口溝部から空気を取り入れて混合することで加湿しているため、水滴の大きさによって加湿効率が変化し湿度が不安定になることがある。
【００１２】
本発明は、これらの問題点を解決するためになされたもので、空気の加湿を効率良く行なうことができ、また構造が簡単で扱い易く、火傷などのおそれがなく安心して使用することができる加湿装置を提供することを目的としている。
【課題を解決するための手段】
【００１３】
上記の課題を解決するため請求項１記載の加湿装置は、貯水槽の上部に、空気の導入口と吹出口とを備えた上カバーを設け、この上カバー内の前記導入口から前記吹出口へ至る流路上に加湿部が配置され、この加湿部に前記貯水槽の水を汲み上げて供給する揚水手段を備えた加湿装置において、前記加湿部に、取入れた空気を流通させることができ、且つ少なくとも空気の流通路内面に水分を保持可能な担持体を設けることを特徴としている。
【００１４】
請求項１記載の加湿装置によれば、前記揚水手段により前記貯水槽から汲み上げた水を前記加湿部に供給して、前記担持体の少なくとも空気の流通路内面に保持させる。そして、前記導入口から取入れた空気を前記担持体に流通させることで、前記担持体の空気の流通路内面に保持している水と接触させ、水分を与えて加湿した後、前記吹出口から外部へ送り出す。こうして室内の空気を、前記加湿装置を介して循環させることで、室内の湿度を適度な状態に保ち乾燥を防ぐことができる。
【００１５】
また、前記揚水手段によって水を前記加湿部の担持体に供給するようにしているので、水の量が不足がちになることがなく、前記導入口から取入れた空気を十分な量の水と接触させることができるため、加湿を効率良く行なうことができる。
【００１６】
しかも前記吹出口から外部へ送り出される空気は、スチーム式のように前記吹出口の縁部等に付着し前記上カバーの外面を濡らすことがないため、水滴の拭取り清掃等の手間がかからない。さらに前記吹出口から出る空気は、水蒸気のような高温でないため火傷等のおそれがなく安心して使用できる。
【００１７】
この加湿装置は、水の代わりに消臭液を用いると消臭装置としても使用することができる。消臭装置として使用する場合には、取入れた空気を前記担持体で消臭液と接触させ、含まれている臭いの成分を消臭液に吸着させることで取除き、消臭した空気を再び前記吹出口から外部へ送り出す。こうして室内空気を前記消臭装置を介して循環させるようにすれば、タバコや食べ物等から生じる臭いを素早く消すことができる。
【００１８】
請求項２の加湿装置は、担持体の空気の流通路を、前記担持体を上下方向に貫通する多数の小孔とし、加湿部に供給された水を前記流通路内を流下させるとともに、前記導入口から取入れた空気を前記流通路の下側から上向きに流通させることを特徴としている。
【００１９】
請求項２の加湿装置によれば、水と空気とを、前記流通路内において互いに反対の方向へ流れる（カウンターフロー）ようにすることで向流接触させることが可能となるため、効率の良い加湿を行なえるようになる。
【００２０】
請求項３記載の加湿装置は、前記担持体の上方に、前記担持体の上面と略並行にして分散板を配置し、前記揚水手段により汲み上げた水を、前記分散板の下面中央部に当てその外縁部方向に分散させつつ前記担持体に供給することを特徴としている。
【００２１】
請求項３の加湿装置によれば、前記揚水手段により汲み上げた水を、前記分散板で分散しつつ前記担持体に供給するため、水が前記担持体の全体に行き渡り、前記担持体を流通する空気に対してより確実に水分を与えることができ、加湿効率を向上させることができる。
【００２２】
請求項４記載の加湿装置は、前記分散板の外周部が、その外周端が斜め下方を向くように傾斜していることを特徴としている。請求項４記載の加湿装置によれば、水を前記担持体に供給する際水の飛びすぎを防止できるため、前記担持体への水の供給をスムーズに行なうことができる。
【００２３】
請求項５記載の加湿装置は、上カバーの下端部に導入口が設けられるとともに、上面部に吹出口が設けられており、流路上にあって加湿部の下流側に送風機が配置され、揚水手段に、筒状の揚水管に雄ねじ型のロータまたは、下端部にインペラが接続された回転軸が内蔵されている揚水ポンプが用いられ、前記ロータまたは回転軸とが前記送風機のプロペラと連結されて、同一軸上で一体回転可能になっていることを特徴としている。
【００２４】
請求項５記載の加湿装置によれば、装置の構造が複雑になることを避けつつ、小型化を図ることができる。そして、前記ロータまたはインペラの回転軸と、前記送風機のプロペラとを同一軸上で一体回転可能にすることで、これらを一台の駆動装置で回転させることができ、さらに構造の簡略化を図ることができる。
【００２５】
請求項６記載の加湿装置は、ロータまたは回転軸と送風機のプロペラとを、加湿部を上下に貫通した状態で設けられている連結軸で連結し、この連結軸に前記分散板を一体回転可能に取り付けていることを特徴としている。
【００２６】
請求項６記載の加湿装置によれば、前記分散板を前記連結軸と一体回転可能にすることにより、前記揚水手段で汲み上げた水を前記担持体に均一に供給できるようになる。しかも前記連結軸に取り付けているため、前記ロータまたは回転軸や前記送風機のプロペラ軸と、一台の駆動装置で回転させることができ、装置の小型化を妨げることなく加湿効率の向上を図ることができる。
【００２７】
請求項７記載の加湿装置は、貯水槽の上部に、前記上カバーとの間を仕切る受け板を設け、この受け板に、中央部から前記貯水槽の内側面に向かって傾斜を設けるとともに、下端部に貫通孔を設けることを特徴としている。
【００２８】
請求項７記載の加湿装置によれば、前記受け板により前記貯水槽と前記上カバーとが仕切られるため、装置が傾いた場合でも前記貯水槽から水漏れしにくく、例えば自動車等の揺れを伴う乗り物内でも安心して使用できる。また前記受け板の上に落ちた水を、傾斜によって前記貫通孔に導き前記貯水槽へ再び戻すこともできる。したがって、前記貯水槽の水を、装置内で循環させながら加湿に供することができるため、水を無駄なく利用できる。
【００２９】
請求項８記載の加湿装置は、前記担持体が繊維状の構造を有することを特徴としている。請求項８記載の加湿装置によれば、前記担持体を繊維状の構造とすることで、空気が前記担持体をより流通し易くなるほか、水分を保持し易くなるため、処理能力を向上させ、所定時間における加湿効率を向上させることができる。
【発明の効果】
【００３０】
このような手段を用いて為される本発明の加湿装置には次のような効果がある。
【００３１】
１．スチーム式のように装置の外面が濡れないため拭取り掃除等の手間がいらず、また高温の蒸気による火傷等の心配もないので安心して使用することができる。
【００３２】
２．超音波式加湿器のように、使用する水（例えばカルシウムを含んでいる水）によって能力が低下するといったこともなく、構造が単純でメンテナンスも手軽に行うことができる取り扱い易い加湿装置を提供できる。
【００３３】
３．揚水手段のロータまたは回転軸と送風機のプロペラの回転軸とを一つのモータで駆動するようにすれば、部品点数が減り装置を小型化できるので、車内等の狭い空間に設置しても邪魔にならない。
【００３４】
４．水を揚水手段によって常に担持体に供給しているので、加湿用の水が不足がちになることがなく、また水を分散板で担持体全体に分散しつつ供給すれば、担持体を通る空気を効率良く加湿することができるため、室内の空気を素早く加湿し、乾燥を防いで快適な状態を維持できる。
【００３５】
５．受け板を設けることで、装置が傾いたりした場合でも貯水槽から水が漏れにくく、自動車等の乗り物内でも安心して使用できる。また、受け板の上に落ちた水を貯水槽へ戻し、再び空気の加湿に供することができるため水を無駄なく利用でき、貯水槽への給水の頻度を減少させることができる。
【００３６】
６．水の代りに消臭液を使用すれば消臭装置としても使用することができ、上記の効果同様、安全で取り扱い易く、しかもコンパクトで消臭効率の良い消臭装置を提供できるようになる。また液漏れしにくくてコンパクであるため、揺れを生じ易い自動車等の車内の消臭装置としても好適で、例えばタバコの臭い等を素早く取除くことができ、同乗している非喫煙者の不快感を軽減することができる。
【００３７】
７．水と空気とを向流接触させることができるため、加湿または消臭効率がアップし、能力的に優れた加湿装置または消臭装置の提供が可能になる。
【発明を実施するための最良の形態】
【００３８】
以下に、本発明にかかる加湿装置の実施形態について、図１および図２を参照しつつ説明する。図１は加湿装置１を縦方向に切った場合の断面図である。なお図中の実線で表している矢印は空気の流れを示しており、点線で表している矢印は水の流れを示している。
【００３９】
図１に示すように、加湿装置１は貯水槽５の上部に、空気の導入口２１ａと吹出口２１ｂとを備えた上カバー２１が着脱可能に取り付けられている縦長の筒状ケーシング２を有したもので、上部カバー２１の上部には送風用の軸流ファン（送風機）３が配置され吹出口２１ｂが設けられるとともに、下端部に導入口２１ａが設けられている。
【００４０】
そして、導入口２１ａから吹出口２１ｂ至る流路上には、水と空気とを接触させる加湿部４が配置されており、この加湿部４に貯水槽５の水を汲み揚げて供給する揚水手段６が設けられている。
【００４１】
加湿部４は、繊維状の構造を有している担持体４２と、この担持体４２を内側に装着可能なホルダー４１とからなっており、担持体４２は、繊維状の構造をしているためその隙間が空気の通路となり、導入口２１ａから取入れた空気を流通することができ、且つ加湿部４に供給された水を保持できるようになっている。
【００４２】
なお担持体４２として使用できるのは繊維状の組織を有したものに限らず、空気の流通路を備え、且つ空気の流通路内面に水分を保持できるものであれば良く、例えば、表面に水分を保持可能な粒状の多孔質の物質をホルダー４１に充填し、多孔質の物質どうしの隙間に空気を通すようにした構成のものでも良い。
【００４３】
ホルダー４１は、上カバー２１の内径と略同じ大きさの外径を有している、上側が開放された短尺の筒型容器で、その底面部には、後述する連結軸３２を挿通させるための挿通管４１ａが中央部に設けられ、挿通管４１ａの周囲には、通気と水抜き用の貫通孔４１ｂが形成されている。そして、側壁の上端部には内側に向かって張出部４１ｃが形成されており、この張出部４１ｃに軸流ファン３が載置され固定された状態となっている。
【００４４】
軸流ファン３は、軸部分に内蔵されている小型モータ（図示せず）で駆動するプロペラ３１を備えている。このプロペラ３１の下面中央部には、後述するスクリュー式の揚水ポンプのロータと連結するための連結軸３２が、プロペラ３１と同一軸上で回転し、且つ一体回転するようにして、ホルダー４１の挿通管４１に挿通させた状態で取り付けられている。また軸流ファン３の上端開口、つまり吹出口２１ｂ部分には、二酸化チタンを主体としている光触媒を含むコーティング剤を塗布した光触媒フィルタ３３が装着されている。
【００４５】
一方、貯水槽５には揚水手段６が配置されている。揚水手段６は、断面円形の揚水管６１内に雄ねじ型のロータ６２が内蔵されているスクリュー式の揚水ポンプで、揚水管６１の上端部は、ホルダー４１の挿通管４１ａの下端部に挿脱自在に接続されている。また揚水管６１の中間部にはその外周に、外側に向かって上り傾斜になっている受け板６３が形成されている。受け板６３は、その外周端部が貯水槽５の内側面に達するような長さに形成されており、揚水管６１は、受け板６３の外周端部を貯水槽５の上端部にあずけた状態で支持されている。
【００４６】
こうして支持されている揚水管６１の下面と、貯水槽５の内側底面との間には隙間Ｓが設けられており、この隙間Ｓから貯水槽５の水を揚水管６１内に導入できるようになっている。また受け板６３には、下端部（揚水管６１との接続部分）に貫通孔６３ａが形成されており、受け板６３に流れ落ちた水を中央部分に集め貯水槽５へ戻せるようになっている。
【００４７】
揚水管６１に内蔵されているロータ６２は、その上端部に連結軸３２の下端部が嵌入されており、連結軸３２と（言い換えればプロペラ３１と）一体回転可能となっている。ロータ６２は、その下端部が貯水槽５の内側の底面中央部に突設された円柱状の支持部２２ａに遊嵌されており、回転時の芯振れが防止されている。
【００４８】
また連結軸３２には、加湿部４よりも上側に位置するように、円板状の分散板７が嵌め込まれている。この分散板７は、外周部がその外周端が斜め下方を向くように傾斜を設けて形成されており、連結軸３２と一体回転するようになっている。
【００４９】
次に、この加湿装置１の作用について説明する。
【００５０】
まず上カバー２１を持ち上げ、ロータ６２を揚水管６１から抜取りつつ、貯水槽５から取外す。そして、貯水槽５から揚水管６１を取り出し（この際、揚水管６１と一体で形成されている受け板６３も同時に取り出される）、貯水槽５に水を適当量入れた後に揚水管６１を元に戻して、上カバー２１を貯水槽５に取り付ける。
【００５１】
それから、所定の場所に加湿装置１を配置して、軸流ファン３のモータに給電しプロペラ３１を回転させる。プロペラ３１が回転すると、連結軸３２に取り付けられている分散板７と、連結軸３２を介して連結されているロータ６２とが同時に回転し、ロータ６２の回転により隙間Ｓから揚水管６１内に貯水槽５の水が導入され、分散板７の高さまで汲み上げられる。汲み上げられた水は、回転している分散板７の中央部に当てられ、その半径方向に飛ばされて、周囲の担持体４２に供給される。分散板７の外周部は下り傾斜に形成されているため、水が飛びすぎてホルダー４１の側壁付近ばかりに供給されるといった偏りが生じにくくなっている。
【００５２】
一方、軸流ファン３のプロペラ３１が回転することで、上カバー２１の導入口２１ａから外部の空気がケーシング２内に取入れられ、この取入れられた空気は、ホルダー４１の貫通孔４１ｂを通って担持体４２に入り、担持体４２で水と接触することで水分が供給され加湿される。この際、水は担持体４２を上から下に向かって流れ、これとは逆に空気は担持体４２の下から上向きに流通するため、水と空気は担持体４２において向流接触し、空気は飽和状態に近い湿度にまで加湿されるのである。
【００５３】
加湿された空気は担持体４２から出て軸流ファン３へ導かれ、光触媒フィルタ３３が装着されている吹出口２１ｂからケーシング２外部へ送り出される。このように加湿空気を光触媒フィルタ３３に通すことによって除菌することができるため、例えば、水分として取入れられた空気に供給される貯水槽５の水に雑菌が発生した場合でも、除菌した清浄な加湿空気を外部へ送り出すことができ、雑菌が空気中へ拡散することを防止できる。
【００５４】
こうして室内の空気を、加湿器１を介して循環させることにより、空気の乾燥を防ぐとともに、空気を清浄な状態に保つことができる。また加湿装置１はスチーム式のように、空気に水分を与えすぎ過剰に加湿することがないため、室内を快適な湿度に保つことができる。
【００５５】
なお担持体４２に供給された水の余剰分は、ホルダー４１底面の貫通孔４１ｂから受け板６３の上に流れ落ち、受け板６３の勾配によって揚水管６１の周囲に集められた後、貫通孔６３ａから貯水槽５へ戻される。そして、再び揚水ポンプで汲み上げられて担持体４２に供給され、空気の加湿に供されるのである。
【００５６】
また加湿装置１は、受け板６３で貯水槽５の水漏れが防止できるので、ケーシング２が傾いた場合でも、貯水槽５の水が導入口２１ａから外へ漏れることがない。
【００５７】
この実施形態の加湿装置１の揚水ポンプは、揚水管６１内に雄ねじ型のロータ６２を備えたものであるが、このロータ６２の代りに、回転軸の外周面にらせん状に溝を形成したロータを用いることもできる（図示は省略する）。また図２に示すように、インペラ６４’を備えた揚水ポンプを用いることもできる。この揚水ポンプは、揚水管６１’の内部に挿通された回転軸６５’の下端部に遠心力式のインペラ６４’が接続されたもので、インペラ６４’を回転させることにより揚水管６１’の下端開口から貯水槽５の水を吸引し揚水できるようになっている。なお、インペラ６４’は遠心力式以外では例えば渦巻式のものを用いることができる。また先に述べたスクリュー式の揚水ポンプを使用した加湿装置１と同様のものには、同一の符号を用いて表している。
【００５８】
インペラ６４’が接続されている回転軸６５’は、上端部に連結軸３２の下端部が嵌入されており、プロペラ３１と一体回転可能となっている。また揚水管６１’の下端部は、インペラ６４’を収納できるように拡径して収納部６１ａ’が形成されており、内部にインペラ６４’によって加速され側方に送り出された水を、収納部６１ａ’の上側に導くための導水部６１ｂ’が設けられている。
【００５９】
このように揚水手段６として、実施形態に示したような揚水ポンプを用いることで、貯水槽５の水位の管理が不要になり取り扱い易くなるほか、水位を検知するボールタップ（浮き袋）等が不要となり構造を簡単にすることができるのである。
【００６０】
つまり、上述の先行技術文献１の加湿器を例に挙げて説明すれば、この加湿器はインペラを回転させることにより渦流外筒内の水に遠心力を生じさせ、この遠心力によって水に回転運動を与えることで渦流外筒の内壁面に沿って上昇させ揚水している。このため水の揚程が低く、水を溢流反射板まで揚水するためには、水槽部の水位をボールタップ等を用いて所定高さに維持しておく必要がある。
【００６１】
そこで、揚水手段として実施形態に示したようなスクリュー式等の揚水ポンプを用いれば、貯水槽の水位が低くなっても確実に揚水することができるので、貯水槽の水が空にならないようにさえしておけば、特に水位の管理は必要ないからである。
【００６２】
また、担持体として上述したものの他には、例えば図３（ａ）と図３（ｄ）に示すような担持体を用いることもできる。図３（ａ）の担持体４２’はホルダー４１’と一体成形されているもので、ホルダー４１’の底板を、多数の貫通した小孔を格子状（図３（ｂ）参照）に設けて空気の流通路４２’ａとし担持体４２’に構成したものである。これらの流通路４２’ａは、直径２〜１０ｍｍの大きさで設けられており、その数は全流通路４２’ａの開口面積が、底板の面積の２０〜５０％程度の割合（開口率）になるように設けられている。
【００６３】
このような漏れ棚方式ものは、図３（ｃ）に示すように、担持体４２’に供給された水（破線の矢印）は流通路４２’ａ内を流下し、これとは反対に、取入れられた空気（実線の矢印）は流通路４２’ａの下側から上向きに流通する。したがって、水と空気とが向流接触し加湿効率が向上するため、飽和状態に近い湿度まで加湿することが可能となる。
【００６４】
また図３（ｄ）は、担持体４２”とホルダー４１”とを別体で設けたものである。担持体４２”は、合成樹脂や不織布などを用いて板状に形成され、且つ図３（ａ）と同じように流通路４２”ａが設けられたものである。なお流通路４２”の数は、ホルダー４１”の下部開口部４１”ａの開口面積に対して、開口率が２０〜５０％程度になるように設けると良い。この担持部４２”は、ホルダー４１”の下部開口部４１”より上側に装着されており、図３（ａ）の担持体４２’と同様、流通路４２”において水と空気とを向流接触させて空気の加湿を行なっている。
【００６５】
以上、上述した加湿装置１はコンパクトで、且つ貯水槽５の上部の受け板６３によって水漏れしにくくなっているため、狭くて揺れ易い車内で設置していても邪魔にならず、安心して使用できる。こうして車内に設置する場合には、軸流ファン３の電源をシガーライタからとるようにしても良いが、例えばケーシング底部に電池等の電源を収納する電源収納部を設けて一体型にし、電源収納部の電源から軸流ファン３のモータへ給電するようにすれば、外部電源用の配線を省くことができ、配線が邪魔になるようなこともなく、場所替えも容易に行える。
【００６６】
また加湿装置１は、貯水槽５の中に、水の変わりに消臭液を入れると、消臭装置として使用することもできる。即ち、水の場合と同様にして貯水槽５に消臭液を入れ、軸流ファン３に給電してプロペラ３１を回転させると、揚水ポンプのロータ６２または回転軸６５’が回転し貯水槽５の消臭液が汲み上げられる。
【００６７】
汲み上げられた消臭液は、回転している分散板７によって担持体４２全体に分散されながら供給される一方で、プロペラ３１が回転することにより、上カバー２１の導入口２１ａからケーシング２内に外気が取入れられる。取入れられた空気は、ホルダー４１の貫通孔４１ｂからホルダー４１内に入り、その中の担持体４２で消臭液と接触する。
【００６８】
消臭液と接触した空気は、含有している臭いの成分が消臭液に吸着され取除かれるため、異臭や悪臭が除去される。こうして消臭された空気は、光触媒フィルタ３３が装着されている吹出口２１ｂからケーシング２外へ送り出される。この際、光触媒フィルタ３３を通過させることで除菌することができるため、貯水槽５の消臭液に雑菌が発生した場合、空気と消臭液とが接触する際に、雑菌が空気に混入し外部に放出されることを防止できる。
【００６９】
こうして加湿装置（この場合は消臭装置）１を介して空気を循環させることで、室内等の空気を、異臭や悪臭を除去しつつ清浄な状態に保つことができるため、例えば自動車の車内等に設置しておけば、喫煙者が吸ったタバコの臭いも素早く消すことができ、同乗している非喫煙者の不快感を軽減することができる。
【００７０】
また上述した加湿装置および消臭装置は、水（液）漏れしにくいため、揺れを生じる乗り物、例えば自動車以外では客船の客室用の加湿器または消臭器として用いることができる。またコンパクトで場所をとらないため、オフィスや病院、老人ホーム等の室内、或は飲食店や娯楽施設等の店舗内に置いても邪魔にならず、しかも加湿装置として使用する場合には、スチーム式のように高温の蒸気を吹き出すことがないため、火傷などのおそれもなく安心して使用することができる。さらに加湿装置の場合には、空気を水に接触させることで加湿しているため、湿度が高くなりすぎることがなく、冷蔵庫や食物の保管庫等に設置すれば、庫内の空気の湿度を適度に保つことができ、より良い状態での食物の保管が可能となる。
【００７１】
また消臭装置として使用する場合には、冷蔵庫や食物の保管に設置し、食物から出る臭気を除去し、他の食物の臭いが移ることを防止できる。またケーシングを大きくして貯水槽の容量を上げるとともに、軸流ファンの能力を上げて処理能力をアップさせたものを、異臭や悪臭が発生し易い場所、例えばゴミ処理場や下水処理場等に設置しておくことで、ゴミの悪臭やし尿等の異臭を減少させることができ、作業環境の改善を図ることができる。
【図面の簡単な説明】
【００７２】
【図１】本発明にかかる加湿装置の縦断面図である。
【図２】揚水手段の別の実施形態を示す部分拡大断面図である。
【図３】（ａ）は担持体の別の実施形態を示す加湿部の部分断面図、（ｂ）は（ａ）におけるＡ部の平面図の部分拡大図、（ｂ）は（ａ）におけるＡ部の部分拡大図、（ｃ）は担持体のさらに別の実施形態を示す加湿部の部分断面図である。
【符号の説明】
【００７３】
１        加湿装置
２        ケーシング
２１      上カバー
２１ａ    導入口
２１ｂ    吹出口
３        軸流ファン
３１      プロペラ
３２      連結軸
３３      光触媒フィルタ
４        加湿部
４１      ホルダー
４１ａ    挿通管
４２      担持体
５        貯水槽
６        揚水手段
６１      揚水管
６２      ロータ
６３      受け板
７        分散板
６１’    揚水管
６１ａ’  収納部
６１ｂ’  導水部
６４’    インペラ
６５’    回転軸
Ｓ        隙間
【図１】
2005274041.tif 000003
【図２】
2005274041.tif 000004
【図３】
2005274041.tif 000005